(57)【要約】      （修正有）【課題】風雨等の影響を可及的回避できて長期使用に適し、連結金具の機能が十分に発揮されて高所であっても手元のハンドル操作を楽に行うことができるシート巻き取り装置を提供する。【解決手段】入力軸と出力軸間に回転伝達手段を備え、入力軸１４が二分された連結金具１を介して操作杆９と連動し、出力軸がシートを巻装した巻取軸を挿着してなるシート巻き取り装置において、連結金具が上下部対称形の外殻体２・３からなり夫々の端部が波形状の凹凸面６を有し且つ四カ所に突部７ａを備えた仕切板７で連繋される。連結金具の内側には、弾性ワイヤー４を挿入したガイド部材５を備え、操作杆９を動かすと連結金具が傾動可能に回動する。【選択図】図２
0003212330.tif 000002
【実用新案登録請求の範囲】
【請求項１】
入力軸と出力軸間に回転伝達手段を備え、入力軸が二分された連結金具を介して操作杆と連動し、出力軸がシートを巻装した巻取軸を挿着してなるシート巻き取り装置において、前記連結金具は上下部対称形の外殻体からなり夫々の端部が波形状の凹凸面を有し且つ四カ所に突部を備えた仕切板で連繋され、しかして連結金具内側に、弾性ワイヤーを挿入したガイド部材を備え、操作杆を動かすと連結金具が傾動可能に回動することを特徴とするシート巻き取り装置。
【考案の詳細な説明】
【技術分野】
【０００１】  本考案は、農業用ハウスにおける開閉シートの巻き取り操作をするシート巻き取り装置に関する。
【背景技術】
【０００２】  農業用ハウスは骨組部材の表面に沿ってシートを張設し、作物の生育に適する室温を保つために時々シートを開閉操作して温度調整をするようにしている。シートは巻取軸に巻装されていて該巻取軸は内部に伝動機構を備えたケーシングより突出した出力軸に連動してシートの巻き取り巻き戻しが行われるものであるが、伝動機構は入力軸の回動により作動し、該入力軸は手元のハンドルと一体の操作杆と連動する。つまり手元のハンドルを回すと操作杆が作動してこれと接続した入力軸が伝動機構を介して出力軸及び巻取軸が回転する仕組みであり、ハンドル操作を楽にできればカーテンの開閉もスムーズにできるものであることも理の当然であり、それを目的とした技術も散見される（特許文献１参照）。
【先行技術文献】
【特許文献】
【０００３】
【特許文献１】特開２００９−６５８７６号公報
【考案の概要】
【０００４】  従来の文献には操作性向上を所期した巻き上げ装置が開示されている。この装置は、シート材の一端に取り付けた巻き上げパイプの一端を挿入して接続する開口部と、この開口部の反対側に突設された略Ｕ字状の第１の連結金具を持つ第１のカップ体と、巻き上げパイプを軸周りに回動させるハンドルと、第１カップ体と対をなしハンドルの一端を挿入して接続する開口部と、この開口部の反対側に突設され、前記第１連結金具と交叉状態に連結した略Ｕ字状の第２の連結金具とを有する第２のカップ体とを備え、前記第１の連結金具の突出長さを、前記第２の連結金具の突出長さよりも長くしたことを特徴としている。ところでこの装置はシンプルな構造のため安価に提供できるものとしているが、交叉状としたＵ字状の金具は絶えず露出状態となっているため長期使用中に風雨にさらされると錆びついたりそれを起因としてハンドル操作にも影響を及ぼす懸念と、不具合となったときに新規な金具の交換作業を必要とするなどの問題がある。
【０００５】  本考案は風雨等の影響を可及的回避できて長期使用に適し、連結金具の機能が十分に発揮されて高所であっても手元のハンドル操作を楽に行うことができるシート巻き取り装置を提供しようとするものである。
【課題を解決するための手段】
【０００６】  すなわち本考案は、入力軸と出力軸間に回転伝達手段を備え、入力軸が二分された連結金具を介して操作杆と連動し、出力軸がシートを巻装した巻取軸を挿着してなるシート巻き取り装置において、前記連結金具は上下部対称形の外殻体からなり夫々の端部が波形状の凹凸面を有し且つ四カ所に突部を備えた仕切板で連繋され、しかして連結金具内側に、弾性ワイヤーを挿入したガイド部材を備え、操作杆を動かすと連結金具が傾動可能に回動することを主旨とする。
【考案の効果】
【０００７】  連結金具は仕切板を介して上下に二分されているため操作杆の動きに伴って重い負荷がかかると内部の弾性ワイヤーの動きに応じて撓る方向に作用する。つまり操作杆に直接連動する下部外殻体に対して上部外殻体は固定状態にあるものの弾性ワイヤーの撓曲力を受けるとその動きに応じて仕切板とともに下部外殻体の動きを吸収するため下部外殻体と弾性ワイヤーが傾回動し、手元のハンドルを回すと操作杆の上端が回動と傾動によるフレキシブルな動きとなるためハンドル操作をスムーズにする。ハンドル操作者の立ち位置によって操作杆が入力軸に対して傾斜状となっても連結金具によって言わば柔軟に角度調整が行われることとなるため手元ハンドルに重圧がかからないですみ、その結果シートの巻き上げ巻き戻し作業の負担軽減につながるものである。【０００８】  弾性ワイヤーはガイド部材を介して上下部外殻体の内部にほぼ収まるかたちとなるため直接風雨にさらされることはなく、したがって長期使用に耐え故障発生も可及的回避できる。また中間にある水平の仕切板が、上下部弾性体の動きに応じてバランスよく傾動と回動をするので操作杆の動きを無理なく入力軸に及ぼす効果がある。
【図面の簡単な説明】
【０００９】
【図１】本案装置の外観図である。
【図２】本案の要部断面図である。
【図３】連結金具を構成する部品図である。
【図４】ハンドルを回して操作杆を駆動する本案の使用状態図である。
【考案を実施するための形態】
【００１０】  本考案を実施するための形態につき図面を参照して説明すると、図１において１０は回転伝達手段（不図示）を内蔵したケーシングであり、１１はその側面に挿着した出力軸、１２はシート１３を巻装し、巻き取り巻き戻しをするための巻取軸である。
【００１１】  １４はケーシング１０下部に突出した入力軸であり、前記出力軸１１は回転伝達手段を介しこの入力軸１４の動きに連動して回転し、シート１３が巻き取り・巻き戻しされる。そして入力軸１４は連結金具１を介して操作杆９に連なり、操作杆９下部にあるハンドル９ａを駆動すると操作杆９の動きに伴って入力軸１４が回転する仕組みであり、それによって回転伝達手段（ケーシング１０）を通った動きが巻取軸１２を回転させるが、こうした一連の動きとなる構成は従来周知であるからこの点の詳細説明及び図は省略する。
【００１２】  連結金具１は図２に示すとおり上下部外殻体２・３に二分され、弾性ワイヤー４を挿入したガイド部材５を内側に配置している。前記入力軸１４は上部外殻体２とねじ固定され、また操作杆９上端は下部外殻体３とねじ固定されている。なお操作杆９上端は外径がフィットすればそのまま外殻体３に固着できるが図示のような上端部と一体の筒体Ｐを用いると、外殻体３の内径に合わせることができて都合がよい。
【００１３】  上下部外殻体２・３は端部が波形状の凹凸面６・６となっていて対称形に配置される。すなわち一方の凸面６に対して他方の凹面６が臨み、前後左右４か所がこのような組み合わせとなる。そして上下部外殻体２・３の内部にある前記ガイド部材５は、４か所に突部７ａを有する仕切板７の上下面に位置し、４個所の突部７ａは外殻体２・３の凸面６にあけた遊孔８より突出して位置決めされている。上下部外殻体２・３は夫々を一体物とすることもできるが、半体としたものを横方向に並設することにより製作・組立が容易となる。
【００１４】  ガイド部材５には中央に鍔片５´が上下に対設され、該鍔片５´の間隔部分だけ仕切板７を介して上下に移動可能であり、ガイド部材５に挿入された弾性ワイヤー４はその内側にあって動きが制御されることはない。
【００１５】  図３は連結金具１を構成する主要部材を示すもので、前記のとおり上下部外殻体２・３は対称に配置されるが、形状はすべて同一のものを使用でき、また弾性ワイヤー４も単一形状のものであるため製作手数がかからず、仕切板７も円形板の４か所に突部７ａを等間隔に形成するだけの単純な構成ですむ。なお弾性ワイヤー４の上下部は操作杆９上端と入力軸１４の下端内に配置した微動可能な固定具Ｓで固定されている（図２参照）。
【００１６】  図４は本案装置を取り付けてハンドル操作をする例を示すもので、ハンドル９ａを回して操作杆９を駆動すると、その動きが連結金具１の下部外殻体３とその内部の弾性ワイヤー４に伝わるとともにガイド部材５が仕切板７を介して所定間隔だけ上下動する。このとき入力軸１４に対して操作杆９が直線状となっていればハンドル９ａを回すことでその動きが入力軸１４の回転となるが、図示のように操作杆９が入力軸１４に対し傾いていると、傾きの度合いが大きくなるにつれてハンドル操作に負担がかかり、より大きな回転力を必要とする。つまり操作杆９が直線に近いほどハンドル操作は楽になる反面、通常は操作者の立ち位置が直線位置から離れていることが多いため回転操作に所定の力を必要とするものであるが、本考案によれば二分した連結金具１がその懸念を払拭できる。
【００１７】  すなわち操作杆９と固着されている下部外殻体３と弾性ワイヤー４は操作杆９の動きに伴い回転するが同時に仕切板７個所を支点に傾動もする。仕切板７は上下部外殻体２・３と弾性体ワイヤー４のいずれの押圧力も受け、下部外殻体３の傾斜角度に応じてその突部７ａが上部外殻体２を含む４個所の遊孔８内においてあたかもサーフィンによる波乗りのように上下左右に遊動しその動きが入力軸１４に及ぶ。かくして弾性ワイヤー４が弾発力を発揮して下方からの動きに同調するため下部外殻体３は無理なく傾動して操作杆９の動きに対応し、したがってハンドル９ａ操作が楽にできる。
【符号の説明】
【００１８】  １    連結金具
２    上部外殻体
３    下部外殻体
４    弾性ワイヤー
５    ガイド部材
６    凹凸面
７    仕切板
７ａ  突部
８    遊孔
９    操作杆
１１  出力軸
１２  巻取軸
１３  シート
１４  入力軸
【図１】
0003212330.tif 000003
【図２】
0003212330.tif 000004
【図３】
0003212330.tif 000005
【図４】
0003212330.tif 000006